(57)【要約】【課題】前部筐体に対して表示セル部を精度よく位置決めしながら、前部筐体を基準に表示セル部を前側から順番に積み上げて組み立てることが可能な表示装置を提供する。【解決手段】この液晶テレビジョン装置（表示装置）１００は、液晶セル部２１と、液晶セル部２１の表示領域２１ａを露出させる開口部１ａと、液晶セル部２１の少なくとも一辺に当接して液晶セル部２１を位置決めするＸ方向位置決め部１２とを含む前部筐体１とを備える。【選択図】図４
2013092655.tif 000002
【特許請求の範囲】
【請求項１】
表示セル部と、
前記表示セル部の表示領域を露出させる開口部と、前記表示セル部の少なくとも一辺に当接して前記表示セル部を位置決めする第１位置決め部とを含む前部筐体とを備える、表示装置。
【請求項２】
前記第１位置決め部は、前記表示セル部の少なくとも一辺に沿って延びる当接面を有し、前記当接面が前記表示セル部の側面に当接することにより前記表示セル部を位置決めするように構成されている、請求項１に記載の表示装置。
【請求項３】
前記第１位置決め部の当接面は、前記前部筐体の内面から後方に突出するとともに、前記表示セル部の辺に沿って延びる方向の幅が後方への突出高さよりも大きくなるように形成されている、請求項２に記載の表示装置。
【請求項４】
前記第１位置決め部は、前記表示セル部の第１の方向において一方側のみに設けられ、前記表示セル部の前記第１の方向における一方側面に当接して前記表示セル部を片寄せ状態で位置決めするように構成されている、請求項１〜３のいずれか１項に記載の表示装置。
【請求項５】
前記第１位置決め部は、前記表示セル部の前記第１の方向において一方側のみに設けられるとともに、前記表示セル部の前記第１の方向に直交する第２の方向において一方側のみに設けられ、前記表示セル部の前記第１の方向における一方側面および前記第２の方向における一方側面に当接することにより、前記表示セル部を前記第１の方向および前記第２の方向に対して片寄せ状態で位置決めするように構成されている、請求項４に記載の表示装置。
【請求項６】
前記第１位置決め部は、前記表示セル部の前記第１の方向における一方側面の両端部近傍に当接するとともに、前記表示セル部の前記第２の方向における一方側面の両端部近傍に当接することにより、前記表示セル部を前記第１の方向および前記第２の方向に対して片寄せ状態で位置決めするように構成されている、請求項５に記載の表示装置。
【請求項７】
前記第１位置決め部は、前記前部筐体に一体的に形成されている、請求項１〜６のいずれか１項に記載の表示装置。
【請求項８】
前記表示セル部の縁部を押さえるとともに、前記表示セル部を位置決めする第２位置決め部が一体的に形成されたベゼルをさらに備え、
前記前部筐体の前記第１位置決め部は、前記表示セル部の第１の方向において一方側のみに設けられ、
前記ベゼルの前記第２位置決め部は、前記表示セル部の前記第１の方向に直交する第２の方向において一方側のみに設けられ、
前記表示セル部は、前記第１の方向における一方側面および前記第２の方向における一方側面がそれぞれ前記第１位置決め部および前記第２位置決め部に当接されることにより、前記第１の方向および前記第２の方向に対して片寄せ状態で位置決めされるように構成されている、請求項１〜４のいずれか１項に記載の表示装置。
【請求項９】
前記表示セル部を後方から支持する枠状に形成されたセル支持部をさらに備え、
前記前部筐体には、前記セル支持部および前記ベゼルの両方を前記前部筐体に対して位置決めする第３位置決め部が設けられている、請求項８に記載の表示装置。
【請求項１０】
テレビジョン放送を受信可能な受信部と、
前記受信部により受信されたテレビジョン放送が表示される表示セル部と、
前記表示セル部の表示領域を露出させる開口部と、前記表示セル部の少なくとも一辺に当接して前記表示セル部を位置決めする位置決め部とを含む前部筐体とを備える、テレビジョン装置。
【発明の詳細な説明】
【技術分野】
【０００１】
この発明は、表示装置およびテレビジョン装置に関し、特に、表示セル部を備える表示装置およびテレビジョン装置に関する。
【背景技術】
【０００２】
従来、表示セル部を備える表示装置が知られている（たとえば、特許文献１参照）。
【０００３】
上記特許文献１には、ベゼルレス液晶基板（表示セル部）と、ベゼルレス液晶基板の前面側の縁部を押さえるシールド枠と、ベゼルレス液晶基板の表示領域を露出させる開口部を有するフロントキャビネット体（前部筐体）とを備えた液晶表示装置が開示されている。この液晶表示装置では、フロントキャビネット体にシールド枠を位置決めするシールド枠載置部が設けられ、シールド枠にベゼルレス液晶基板を位置決めする位置規制手段が設けられている。これにより、上記特許文献１の液晶表示装置では、フロントキャビネット体（前部筐体）に対してシールド枠を位置決めして積み上げるとともに、シールド枠に対してベゼルレス液晶基板を位置決めして積み上げることができるので、フロントキャビネット体を基準にシールド枠およびベゼルレス液晶基板を順次積み上げて組み立てることが可能である。
【先行技術文献】
【特許文献】
【０００４】
【特許文献１】特開２００７−１７４８０号公報
【発明の概要】
【発明が解決しようとする課題】
【０００５】
しかしながら、上記特許文献１に記載の液晶表示装置（表示装置）では、シールド枠がフロントキャビネット体に対して位置決めされ、そのシールド枠に対してベゼルレス液晶基板が位置決めされるので、ベゼルレス液晶基板がシールド枠を介してフロントキャビネット体に対して間接的に位置決めされる。このため、ベゼルレス液晶基板（表示セル部）のフロントキャビネット体（前部筐体）に対する位置決め精度が低いという問題点がある。
【０００６】
この発明は、上記のような課題を解決するためになされたものであり、この発明の１つの目的は、前部筐体に対して表示セル部を精度よく位置決めしながら、前部筐体を基準に表示セル部を前側から順番に積み上げて組み立てることが可能な表示装置およびテレビジョン装置を提供することである。
【課題を解決するための手段】
【０００７】
この発明の第１の局面による表示装置は、表示セル部と、表示セル部の表示領域を露出させる開口部と、表示セル部の少なくとも一辺に当接して表示セル部を位置決めする第１位置決め部とを含む前部筐体とを備える。
【０００８】
この第１の局面による表示装置では、上記のように、前部筐体に、表示セル部の少なくとも一辺に当接して表示セル部を位置決めする第１位置決め部を設けることによって、第１位置決め部により表示セル部を前部筐体に対して位置決めすることができるので、前部筐体を基準に表示セル部を前側から順番に積み上げて組み立てることができる。また、第１位置決め部により、表示セル部を前部筐体に対して直接的に位置決めすることができるので、前部筐体に対して表示セル部を精度よく位置決めすることができる。したがって、この表示装置では、前部筐体に対して表示セル部を精度よく位置決めしながら、前部筐体を基準に表示セル部を前側から順番に積み上げて組み立てることができる。また、組み立て時に前部筐体を基準に表示セル部を積み上げることによって、表示セル部の前方側を前部筐体により押さえることができるので、表示セル部の前方側を押さえるためのベゼルを減らすことができる。
【０００９】
上記第１の局面による表示装置において、好ましくは、第１位置決め部は、表示セル部の少なくとも一辺に沿って延びる当接面を有し、当接面が表示セル部の側面に当接することにより表示セル部を位置決めするように構成されている。このように構成すれば、第１位置決め部の当接面が表示セル部の辺の側面に面接触した状態で表示セル部の辺に沿って延びるので、表示セル部をより精度よく位置決めすることができる。
【００１０】
この場合、好ましくは、第１位置決め部の当接面は、前部筐体の内面から後方に突出するとともに、表示セル部の辺に沿って延びる方向の幅が後方への突出高さよりも大きくなるように形成されている。このように構成すれば、表示セル部の辺の側面がより広い範囲で第１位置決め部の当接面に面接触状態で当接されるので、第１位置決め部の当接面により、表示セル部をさらに精度よく位置決めすることができる。
【００１１】
上記第１の局面による表示装置において、好ましくは、第１位置決め部は、表示セル部の第１の方向において一方側のみに設けられ、表示セル部の第１の方向における一方側面に当接して表示セル部を片寄せ状態で位置決めするように構成されている。このように構成すれば、表示セル部の第１の方向において他方側に位置決め部を設けることなく、第１位置決め部により、容易に、表示セル部を片寄せ状態で位置決めすることができる。これにより、位置決め部を簡素化しながら表示セル部の位置決めを行うことができる。
【００１２】
この場合、好ましくは、第１位置決め部は、表示セル部の第１の方向において一方側のみに設けられるとともに、表示セル部の第１の方向に直交する第２の方向において一方側のみに設けられ、表示セル部の第１の方向における一方側面および第２の方向における一方側面に当接することにより、表示セル部を第１の方向および第２の方向に対して片寄せ状態で位置決めするように構成されている。このように構成すれば、表示セル部の第１の方向の他方側および第２の方向の他方側には位置決め部を設けることなく、第１位置決め部により、容易に、表示セル部を互いに直交する２方向に対して片寄せ状態で位置決めすることができる。これにより、位置決め部を簡素化しながら表示セル部を互いに直交する２方向に対して位置決めすることができる。
【００１３】
上記表示セル部を第１の方向および第２の方向に対して片寄せ状態で位置決めする構成において、好ましくは、第１位置決め部は、表示セル部の第１の方向における一方側面の両端部近傍に当接するとともに、表示セル部の第２の方向における一方側面の両端部近傍に当接することにより、表示セル部を第１の方向および第２の方向に対して片寄せ状態で位置決めするように構成されている。このように構成すれば、第１位置決め部により、表示セル部の第１の方向および第２の方向のそれぞれの一方側面の両端部近傍が位置決めされるので、表示セル部を互いに直交する２方向に対してより精度よく位置決めすることができる。
【００１４】
上記第１の局面による表示装置において、好ましくは、第１位置決め部は、前部筐体に一体的に形成されている。このように構成すれば、第１位置決め部を前部筐体とは別個に形成する場合と異なり、部品点数の増加を防止することができる。
【００１５】
上記第１の局面による表示装置において、好ましくは、表示セル部の縁部を押さえるとともに、表示セル部を位置決めする第２位置決め部が一体的に形成されたベゼルをさらに備え、前部筐体の第１位置決め部は、表示セル部の第１の方向において一方側のみに設けられ、ベゼルの第２位置決め部は、表示セル部の第１の方向に直交する第２の方向において一方側のみに設けられ、表示セル部は、第１の方向における一方側面および第２の方向における一方側面がそれぞれ第１位置決め部および第２位置決め部に当接されることにより、第１の方向および第２の方向に対して片寄せ状態で位置決めされるように構成されている。このように構成すれば、表示セル部の第１の方向の他方側および第２の方向の他方側には位置決め部を設けることなく、前部筐体の第１位置決め部およびベゼルの第２位置決め部を用いて、容易に、表示セル部を互いに直交する２方向に対して片寄せ状態で位置決めすることができる。
【００１６】
この場合、好ましくは、表示セル部を後方から支持する枠状に形成されたセル支持部をさらに備え、前部筐体には、セル支持部およびベゼルの両方を前部筐体に対して位置決めする第３位置決め部が設けられている。このように構成すれば、第３位置決め部がセル支持部およびベゼルの両方の位置決めに兼用されるので、セル支持部およびベゼルのそれぞれの位置決め部を互いに別個に設ける必要がない。これにより、セル支持部およびベゼルの位置決め構造を簡素化することができる。
【００１７】
この発明の第２の局面によるテレビジョン装置は、テレビジョン放送を受信可能な受信部と、受信部により受信されたテレビジョン放送が表示される表示セル部と、表示セル部の表示領域を露出させる開口部と、表示セル部の少なくとも一辺に当接して表示セル部を位置決めする位置決め部とを含む前部筐体とを備える。
【００１８】
この第２の局面によるテレビジョン装置では、上記のように、前部筐体に、表示セル部の少なくとも一辺に当接して表示セル部を位置決めする位置決め部を設けることによって、位置決め部により表示セル部を前部筐体に対して位置決めすることができるので、前部筐体を基準に表示セル部を前側から順番に積み上げて組み立てることができる。また、位置決め部により、表示セル部を前部筐体に対して直接的に位置決めすることができるので、前部筐体に対して表示セル部を精度よく位置決めすることができる。したがって、このテレビジョン装置では、前部筐体に対して表示セル部を精度よく位置決めしながら、前部筐体を基準に表示セル部を前側から順番に積み上げて組み立てることができる。また、組み立て時に前部筐体を基準に表示セル部を積み上げることによって、表示セル部の前方側を前部筐体により押さえることができるので、表示セル部の前方側を押さえるためのベゼルを減らすことができる。
【発明の効果】
【００１９】
本発明によれば、上記のように、前部筐体に対して表示セル部を精度よく位置決めしながら、前部筐体を基準に表示セル部を前側から順番に積み上げて組み立てることができる。
【図面の簡単な説明】
【００２０】
【図１】本発明の第１実施形態による液晶テレビジョン装置を前側から見た全体斜視図である。
【図２】本発明の第１実施形態による液晶テレビジョン装置を後側から見た全体斜視図である。
【図３】本発明の第１実施形態による液晶テレビジョン装置を示した分解斜視図である。
【図４】本発明の第１実施形態による液晶テレビジョン装置の前部筐体の内面側を示した拡大分解斜視図である。
【図５】本発明の第１実施形態による液晶テレビジョン装置の前部筐体を内面側から見た平面図である。
【図６】本発明の第１実施形態による液晶テレビジョン装置の液晶セル部を位置決めした状態を示した図である。
【図７】本発明の第１実施形態による液晶テレビジョン装置の前部筐体の位置決め部を示した図である。
【図８】本発明の第１実施形態による液晶テレビジョン装置の前部筐体の位置決め部を示した拡大斜視図である。
【図９】本発明の第１実施形態による液晶テレビジョン装置のホールドプレートを積み上げた状態を示した図である。
【図１０】本発明の第１実施形態による液晶テレビジョン装置のリアフレームを積み上げた状態を示した図である。
【図１１】図１０の３００−３００線に沿った断面図である。
【図１２】本発明の第２実施形態による液晶テレビジョン装置の前部筐体の内面側を示した拡大分解斜視図である。
【図１３】本発明の第２実施形態による液晶テレビジョン装置の液晶セル部を位置決めした状態を示した図である。
【図１４】本発明の第２実施形態による液晶テレビジョン装置の前部筐体の位置決め部およびベゼルの位置決め部を示した拡大斜視図である。
【図１５】本発明の第１実施形態による液晶テレビジョン装置の変形例を示した図である。
【発明を実施するための形態】
【００２１】
以下、本発明を具体化した実施形態を図面に基づいて説明する。
【００２２】
（第１実施形態）
図１〜図１１を参照して、本発明の第１実施形態による液晶テレビジョン装置１００の構成について説明する。なお、第１実施形態では、本発明の「表示装置」および「テレビジョン装置」を、液晶テレビジョン装置１００に適用する例について説明する。
【００２３】
本発明の第１実施形態による液晶テレビジョン装置１００は、図１および図２に示すように、枠状の前部筐体１と、前部筐体１の後ろ側（Ｙ２方向側）に配置される液晶モジュール２と、液晶テレビジョン装置１００全体を支持するスタンド部材３とを備えている。
【００２４】
前部筐体１は、図１に示すように、液晶モジュール２の矩形形状の表示領域２１ａ（図１参照）を露出させるための略矩形形状の開口部１ａを有している。また、図３〜図５に示すように、前部筐体１の内面１ｂ（Ｙ２方向側の表面）には、縁部に沿って複数のネジ螺合部１１が前部筐体１に一体的に形成されている。
【００２５】
ここで、第１実施形態では、図４および図５に示すように、前部筐体１の内面１ｂ（Ｙ２方向側の表面）には、開口部１ａのＸ２方向側の一辺の両端部近傍に互いに間隔を隔てて２つのＸ方向位置決め部１２が形成されている。なお、Ｘ方向は、本発明の「第１の方向」の一例であり、Ｘ方向位置決め部１２は、本発明の「第１位置決め部」の一例である。２つのＸ方向位置決め部１２は、図３〜図５に示すように、前部筐体１の内面１ｂから後方に突出するように形成されている。また、２つのＸ方向位置決め部１２は、図５〜図８に示すように、後述する矩形形状の液晶セル部２１（図６および図８参照）のＸ２方向側の側面２１１に当接する当接面１２１を有している。当接面１２１は、液晶セル部２１のＸ２方向側の一辺に沿ってＺ方向に延びるように形成されている。
【００２６】
詳細には、当接面１２１は、前部筐体１の内面１ｂから後方に突出している。また、当接面１２１は、図７に示すように、液晶セル部２１のＸ２方向側の一辺に沿って延びる方向（Ｚ方向）の幅Ｗ１が後方（Ｙ２方向）への突出高さＨ１よりも大きくなるように形成されている。また、当接面１２１は、図７および図８に示すように、当接面１２１の背面側（Ｘ２方向側）に設けられた３つの補強リブ１２２により支持されている。３つの補強リブ１２２は、当接面１２１が液晶セル部２１のＸ２方向側の一辺に沿って延びる方向（Ｚ方向）に互いに所定の間隔を隔てて隣接するように配置されている。
【００２７】
また、図６に示すように、２つのＸ方向位置決め部１２は、それぞれ、当接面１２１が液晶セル部２１のＸ２方向側の側面２１１の両端部近傍に当接するように構成されている。また、２つのＸ方向位置決め部１２は、当接面１２１が液晶セル部２１のＸ２方向側の側面２１１に当接することによって、Ｘ方向において液晶セル部２１をＸ２方向側への片寄せ状態で位置決めするように構成されている。また、２つのＸ方向位置決め部１２は、前部筐体１に一体的に形成されている。なお、前部筐体１の開口部１ａのＸ１方向側には、液晶セル部２１を位置決めする位置決め部は設けられていない。
【００２８】
また、前部筐体１の内面１ｂ（Ｙ２方向側の表面）には、開口部１ａの下方側（Ｚ２方向側）の一辺の両端部近傍に互いに間隔を隔てて２つのＺ方向位置決め部１３が形成されている。なお、Ｚ方向は、本発明の「第２の方向」の一例であり、Ｚ方向位置決め部１３は、本発明の「第１位置決め部」の一例である。２つのＺ方向位置決め部１３は、図３〜図５に示すように、前部筐体１の内面１ｂから後方に突出するように形成されている。また、２つのＺ方向位置決め部１３は、上記Ｘ方向位置決め部１２と同様の構成を有している。
【００２９】
具体的には、２つのＺ方向位置決め部１３は、図５〜図８に示すように、後述する矩形形状の液晶セル部２１の下方側（Ｚ２方向側）の側面２１２（図６および図８参照）に当接する当接面１３１を有している。当接面１３１は、液晶セル部２１のＺ２方向側の一辺に沿ってＸ方向に延びるように形成されている。詳細には、当接面１３１は、前部筐体１の内面１ｂから後方に突出している。また、当接面１３１は、図７に示すように、液晶セル部２１のＺ２方向側の一辺に沿って延びる方向（Ｘ方向）の幅Ｗ２が後方（Ｙ２方向）への突出高さＨ２よりも大きくなるように形成されている。また、当接面１３１は、図５〜図８に示すように、当接面１３１の背面側（Ｚ２方向側）に設けられた３つの補強リブ１３２により支持されている。３つの補強リブ１３２は、当接面１３１が液晶セル部２１のＺ２方向側の一辺に沿って延びる方向（Ｘ方向）に互いに所定の間隔を隔てて隣接するように配置されている。
【００３０】
また、図６に示すように、２つのＺ方向位置決め部１３は、それぞれ、当接面１３１が液晶セル部２１の下方側（Ｚ２方向側）の側面２１２の両端部近傍に当接するように構成されている。また、２つのＺ方向位置決め部１３は、当接面１３１が液晶セル部２１の下方側（Ｚ２方向側）の側面２１２に当接することによって、Ｚ方向において液晶セル部２１をＺ２方向側への片寄せ状態で位置決めするように構成されている。すなわち、２つのＸ方向位置決め部１２と２つのＺ方向位置決め部１３とにより、液晶セル部２１をＸ方向およびＺ方向に対して片寄せ状態で位置決めすることが可能である。また、２つのＺ方向位置決め部１３は、前部筐体１に一体的に形成されている。なお、前部筐体１の開口部１ａの上方側（Ｚ１方向側）には、液晶セル部２１を位置決めする位置決め部は設けられていない。
【００３１】
また、前部筐体１の内面１ｂ（Ｙ２方向側の表面）には、図３〜図６に示すように、４つの十字形状のボス１４が形成されている。なお、ボス１４は、本発明の「第３位置決め部」の一例である。４つのボス１４は、略矩形形状の開口部１ａのコーナ部近傍に配置されている。また、ボス１４は、後述するベゼル４ａおよび４ｂと、後述する樹脂フレーム２３とを位置決めするために設けられている。ボス１４は、前部筐体１に一体的に形成されている。また、ボス１４は、前部筐体１の内面１ｂから後方に突出するように形成されている。
【００３２】
液晶モジュール２は、図３に示すように、液晶セル部２１と、光源２２と、樹脂フレーム２３と、光学部材２４と、枠状のホールドプレート２５と、板金製のリアフレーム２６とを含んでいる。具体的には、リアフレーム２６から前部筐体１の方向（矢印Ｙ１方向）に向かって、ホールドプレート２５、光学部材２４、枠状の樹脂フレーム２３、液晶セル部２１の順で配置されている。また、樹脂フレーム２３のＸ２方向側の側面には、複数のＬＥＤから構成される光源２２が配置されている。なお、液晶セル部２１は、本発明の「表示セル部」の一例であり、樹脂フレーム２３は、本発明の「セル支持部」の一例である。
【００３３】
液晶セル部２１は、液晶表示パネルを構成するとともに、液晶セルや電極シートなどにより構成されている。また、液晶セル部２１は、後述する受信部（チューナ）２８ａにより受信されたテレビジョン放送に応じて駆動されてテレビジョン放送を表示するように構成されている。また、液晶セル部２１は、平面視で矩形形状に形成されている。
【００３４】
また、液晶セル部２１は、図３および図４に示すように、前面２１ｂ側（Ｙ１方向側）の縁部の２つの辺が２つのベゼル４ａおよび４ｂにより押さえられるとともに、他の２つの辺がクッション材５により押さえられるように構成されている。具体的には、図３、図４および図６に示すように、矩形形状の液晶セル部２１の縁部のうち、液晶セル部２１の駆動回路２１３（図３および図６参照）が設けられる上方側の辺（Ｚ１方向側の辺）に沿ってベゼル４ａが設けられ、液晶セル部２１の他の駆動回路（図示せず）が設けられるＸ１方向側の辺に沿ってベゼル４ｂが設けられている。また、図３および図４に示すように、液晶セル部２１の下方側の辺（Ｚ２方向側の辺）と、液晶セル部２１のＸ２方向側の辺とに沿ってクッション材５が設けられている。
【００３５】
ベゼル４ａおよび４ｂは、略Ｌ字状の断面形状を有する板金からなり、樹脂フレーム２３との間に液晶セル部２１の縁部を挟み込んで液晶セル部２１の前面を押さえるように構成されている。また、２つのベゼル４ａおよび４ｂは、それぞれ、液晶セル部２１の対応する辺に沿って延びるように形成されている。また、ベゼル４ａ（４ｂ）の両端部近傍には、図４および図６に示すように、前部筐体１のボス１４が挿入される孔部４１ａ（４１ｂ）が形成されている。これにより、前部筐体１のボス１４をベゼル４ａおよび４ｂの孔部４１ａおよび４１ｂに挿入して、２つのベゼル４ａおよび４ｂを前部筐体１に対して位置決めすることが可能である。
【００３６】
クッション材５は、ゴム部材からなり、非導電性の弾性部材である。また、クッション材５は、前部筐体１の内面１ｂ（Ｙ２方向側の表面）と液晶セル部２１の前面２１ｂとの両方に当接するように設けられている。これにより、前部筐体１と液晶セル部２１との間で生じるビビリ音を低減することが可能である。また、２つのクッション材５は、それぞれ、液晶セル部２１の対応する辺に沿って延びるように形成されている。
【００３７】
また、駆動回路２１３は、図３および図６に示すように、複数のフレキシブルケーブル２１３ａにより液晶セル部２１に接続されるとともに、液晶セル部２１の後面に配置されている。具体的には、駆動回路２１３は、図９に示すように、フレキシブルケーブル２１３ａがＵ字状に折り曲げられることによって液晶セル部２１の後方に配置される枠状のホールドプレート２５の後面（Ｙ２方向側の表面）にネジ９により取り付けられるように構成されている。
【００３８】
樹脂フレーム２３は、図３および図４に示すように、枠状に形成されており、液晶セル部２１の縁部を後ろ側（Ｙ２方向側）から支持するように構成されている。また、図４に示すように、樹脂フレーム２３には、前部筐体１の４つのボス１４に対応する位置に、ボス１４が挿入される円形状の４つの孔部２３ａが形成されている。これにより、前部筐体１の４つのボス１４を樹脂フレーム２３の４つの孔部２３ａに挿入して、樹脂フレーム２３を前部筐体１に対して位置決めすることが可能である。すなわち、４つのボス１４により、２つのベゼル４ａおよび４ｂと樹脂フレーム２３との両方が前部筐体１に対して位置決めされる。
【００３９】
光学部材２４は、光反射シート、導光板、拡散シートおよびレンズシートなどから構成されている。また、光学部材２４は、樹脂フレーム２３とホールドプレート２５とにより前後方向（Ｙ方向）から挟み込まれることによって保持されている。ホールドプレート２５の外周部には、前部筐体１の複数のネジ螺合部１１に対応する位置に複数の切欠部２５１が形成されている。
【００４０】
リアフレーム２６は、図２および図３に示すように、平面視で略矩形形状を有している。また、リアフレーム２６は、図３に示すように、複数の基板取付用ネジ穴２６ａを有し、リアフレーム２６の背面２６ｂ（Ｙ２方向側の表面）に、装置全体に電力を供給するための回路基板２７と、テレビジョン放送を受信可能な受信部（チューナ）２８ａが設けられた信号処理用の回路基板２８とを取り付け可能に構成されている。また、図２および図３に示すように、リアフレーム２６は、複数のカバー取付用ネジ穴２６ｃを有し、回路基板２７および２８を覆うように凹形状に形成されたカバー部材６が取り付けられるように構成されている。カバー部材６は、後方（Ｙ２方向側）から見て、略矩形形状を有しているとともにリアフレーム２６よりも小さく形成されている。これにより、図２に示すように、リアフレーム２６の背面２６ｂのうち、縁部近傍の部分は露出される。すなわち、カバー部材６と、カバー部材６から露出されるリアフレーム２６の縁部近傍の部分とにより、液晶テレビジョン装置１００の後部筐体が構成されている。
【００４１】
また、図２、図３および図１０に示すように、リアフレーム２６の露出された縁部近傍の部分には、複数のネジ９を挿入可能な複数のネジ挿入穴２６ｄが形成されている。リアフレーム２６は、図３に示すように、ネジ挿入穴２６ｄに挿入されるネジ９が前部筐体１のネジ螺合部１１に螺合されることによって前部筐体１に取り付けられるように構成されている。また、リアフレーム２６の背面２６ｂ側には、２つのスピーカ７が設けられている。スピーカ７は、スピーカ取付部材８を介してリアフレーム２６とカバー部材６とにより挟み込まれることによって保持されるように構成されている。
【００４２】
次に、図３、図４、図６および図８〜図１１を参照して、液晶テレビジョン装置１００の組み立て手順について説明する。第１実施形態においては、前部筐体１を基準に前側から順番に液晶モジュール２の各構成要素を積み上げることにより液晶テレビジョン装置１００を組み立てる。以下、詳細に説明する。
【００４３】
まず、図６に示すように、ボス１４を孔部４１ａおよび４１ｂに挿入してベゼル４ａおよび４ｂを前部筐体１に対して位置決めしながら、２つのベゼル４ａおよび４ｂを前部筐体１の内面１ｂ上に載置するとともに、２つのクッション材５（図３および図４参照）を前部筐体１の内面１ｂ上に載置する。その後、矩形形状の液晶セル部２１を積み重ねる。この際、図６および図８に示すように、液晶セル部２１のＸ２方向側の側面２１１を２つのＸ方向位置決め部１２の当接面１２１に当接させてＸ方向に対して片寄せ状態で位置決めする。また、液晶セル部２１のＺ２方向側の側面２１２を２つのＺ方向位置決め部１３の当接面１３１に当接させてＺ方向に対して片寄せ状態で位置決めする。すなわち、液晶セル部２１をＸ方向およびＺ方向に対して片寄せ状態で位置決めする。
【００４４】
そして、液晶セル部２１が前部筐体１に対して位置決めされた状態で、図４に示すように、ベゼル４ａおよび４ｂを位置決めしたボス１４を孔部２３ａに挿入して樹脂フレーム２３を前部筐体１に対して位置決めしながら、樹脂フレーム２３を積み重ねる。その後、図３および図９に示すように、樹脂フレーム２３との間に光学部材２４を挟み込んだ状態で、複数の切欠部２５１（図９参照）が前部筐体１の複数のネジ螺合部１１に対応するように枠状のホールドプレート２５を積み重ねる。そして、図１０および図１１に示すように、リアフレーム２６を積み重ねてネジ９（図１０参照）によりリアフレーム２６を前部筐体１に固定する。このようにして第１実施形態の液晶テレビジョン装置１００では、図１１に示すように、前部筐体１を基準に前側から順番に液晶モジュール２の各構成要素を積み上げ方式で組み立てることが可能である。その後、リアフレーム２６との間にスピーカ７を挟み込んだ状態でカバー部材６を取り付けるとともに、スタンド部材３を取り付ける。
【００４５】
第１実施形態では、上記のように、液晶セル部２１に当接して液晶セル部２１を位置決めするＸ方向位置決め部１２（Ｚ方向位置決め部１３）を前部筐体１に設けることによって、Ｘ方向位置決め部１２（Ｚ方向位置決め部１３）により液晶セル部２１を前部筐体１に対して位置決めすることができるので、前部筐体１を基準に液晶セル部２１を前側から順番に積み上げて組み立てることができる。また、Ｘ方向位置決め部１２（Ｚ方向位置決め部１３）により、液晶セル部２１を前部筐体１に対して直接的に位置決めすることができるので、前部筐体１に対して液晶セル部２１を精度よく位置決めすることができる。したがって、この液晶テレビジョン装置１００では、前部筐体１に対して液晶セル部２１を精度よく位置決めしながら、前部筐体１を基準に液晶セル部２１を前側から順番に積み上げて組み立てることができる。また、組み立て時に前部筐体１を基準に液晶セル部２１を積み上げることによって、液晶セル部２１の前方側を前部筐体１により押さえることができるので、液晶セル部２１の前方側を押さえるためのベゼルを減らすことができる。
【００４６】
また、第１実施形態では、上記のように、液晶セル部２１の辺に沿って延びる当接面１２１（１３１）をＸ方向位置決め部１２（Ｚ方向位置決め部１３）に設け、当接面１２１（１３１）を液晶セル部２１の側面２１１（２１２）に当接させることにより液晶セル部２１を位置決めする。これにより、Ｘ方向位置決め部１２（Ｚ方向位置決め部１３）の当接面１２１（１３１）が液晶セル部２１の側面２１１（２１２）に面接触した状態で液晶セル部２１の辺に沿って延びるので、液晶セル部２１をより精度よく位置決めすることができる。
【００４７】
また、第１実施形態では、上記のように、液晶セル部２１の辺に沿って延びる方向の幅Ｗ１（Ｗ２）が後方への突出高さＨ１（Ｈ２）よりも大きくなるようにＸ方向位置決め部１２（Ｚ方向位置決め部１３）の当接面１２１（１３１）を形成する。これにより、液晶セル部２１の側面２１１（２１２）がより広い範囲でＸ方向位置決め部１２（Ｚ方向位置決め部１３）の当接面１２１（１３１）に面接触状態で当接されるので、Ｘ方向位置決め部１２（Ｚ方向位置決め部１３）の当接面１２１（１３１）により、液晶セル部２１をさらに精度よく位置決めすることができる。
【００４８】
また、第１実施形態では、上記のように、液晶セル部２１のＸ２方向側の側面２１１に当接して液晶セル部２１を片寄せ状態で位置決めするようにＸ方向位置決め部１２を構成する。これにより、液晶セル部２１のＸ方向において他方側（Ｘ１方向側）に位置決め部を設けることなく、Ｘ方向位置決め部１２により、容易に、液晶セル部２１を片寄せ状態で位置決めすることができる。これにより、位置決め部を簡素化しながら液晶セル部２１の位置決めを行うことができる。
【００４９】
また、第１実施形態では、上記のように、液晶セル部２１のＸ２方向の側面２１１およびＺ２方向の側面２１２に当接することにより、液晶セル部２１をＸ方向およびＺ方向に対して片寄せ状態で位置決めするようにＸ方向位置決め部１２およびＺ方向位置決め部１３を構成する。これにより、液晶セル部２１のＸ方向の他方側（Ｘ１方向側）およびＺ方向の他方側（Ｚ１方向側）には位置決め部を設けることなく、Ｘ方向位置決め部１２およびＺ方向位置決め部１３により、容易に、液晶セル部２１を互いに直交する２方向に対して片寄せ状態で位置決めすることができる。これにより、位置決め部を簡素化しながら液晶セル部２１を互いに直交する２方向に対して位置決めすることができる。
【００５０】
また、第１実施形態では、上記のように、Ｘ方向位置決め部１２を液晶セル部２１のＸ２方向の側面２１１の両端部近傍に当接させるとともに、Ｚ方向位置決め部１３を液晶セル部２１のＺ２方向の側面２１２の両端部近傍に当接させ、液晶セル部２１をＸ方向およびＺ方向に対して片寄せ状態で位置決めするようにＸ方向位置決め部１２およびＺ方向位置決め部１３を構成する。これにより、Ｘ方向位置決め部１２およびＺ方向位置決め部１３により、液晶セル部２１のＸ方向およびＺ方向のそれぞれの一方側面２１１および２１２の両端部近傍が位置決めされるので、液晶セル部２１を互いに直交する２方向に対してより精度よく位置決めすることができる。
【００５１】
また、第１実施形態では、上記のように、Ｘ方向位置決め部１２（Ｚ方向位置決め部１３）を前部筐体１に一体的に形成する。これにより、Ｘ方向位置決め部１２（Ｚ方向位置決め部１３）を前部筐体１とは別個に形成する場合と異なり、部品点数の増加を防止することができる。
【００５２】
（第２実施形態）
次に、図１２〜図１４を参照して、第２実施形態について説明する。この第２実施形態では、上記第１実施形態と異なり、液晶セル部２１の下方側の辺に沿って配置されたベゼル４ｃに、液晶セル部２１をＺ方向に対して位置決めするＺ方向位置決め部４２ｃを設ける構成について説明する。なお、Ｚ方向位置決め部４２ｃは、本発明の「第２位置決め部」の一例である。
【００５３】
図１２に示すように、第２実施形態では、前部筐体１の開口部１ａのＸ２方向側には、上記第１実施形態と同様に、液晶セル部２１を位置決めするための２つのＸ方向位置決め部１２が設けられている一方、開口部１ａの下方側（Ｚ２方向側）には液晶セル部２１を位置決めする位置決め部が設けられていない。また、第２実施形態では、上記第１実施形態と同様に、２つのＸ方向位置決め部１２により、Ｘ方向において液晶セル部２１をＸ２方向側への片寄せ状態で位置決めするように構成されている。なお、前部筐体１の開口部１ａのＸ１方向側には、上記第１実施形態と同様に、液晶セル部２１を位置決めする位置決め部は設けられていない。また、Ｘ方向位置決め部１２は、本発明の「位置決め部」の一例である。
【００５４】
また、図１２および図１３に示すように、第２実施形態では、液晶セル部２１の上方側の辺に沿ってベゼル４ａが設けられ、液晶セル部２１の下方側の辺に沿ってベゼル４ｃが設けられている。また、図１２に示すように、液晶セル部２１のＸ１方向側の辺とＸ２方向側の辺とに沿ってクッション材５が設けられている。また、ベゼル４ｃの両端部近傍には、ベゼル４ａと同様に、前部筐体１のボス１４が挿入される孔部４１ｃが形成されている。これにより、前部筐体１のボス１４をベゼル４ａおよび４ｃの孔部４１ａおよび４１ｃに挿入して、２つのベゼル４ａおよび４ｃを前部筐体１に対して位置決めすることが可能である。また、第２実施形態では、上記第１実施形態と同様に、ボス１４により、２つのベゼル４ａおよび４ｃと樹脂フレーム２３との両方が前部筐体１に対して位置決めされる。
【００５５】
また、液晶セル部２１の下方側に配置されるベゼル４ｃは、図１２〜図１４に示すように、液晶セル部２１の下方側（Ｚ２方向側）の側面２１２の両端部近傍に当接する２つの位置決め部４２ｃを有している。２つの位置決め部４２ｃは、切り起こしによりベゼル４ｃに一体的に形成されている。また、図１３および図１４に示すように、２つの位置決め部４２ｃは、液晶セル部２１の下方側の側面２１２に当接する当接面４３ｃを有し、当接面４３ｃは、液晶セル部２１の側面２１２に沿ってＸ方向に延びるように形成されている。また、２つの位置決め部４２ｃは、当接面４３ｃが液晶セル部２１の下方側（Ｚ２方向側）の側面２１２に当接することによって、Ｚ方向において液晶セル部２１をＺ２方向側への片寄せ状態で位置決めするように構成されている。すなわち、第２実施形態では、前部筐体１の２つのＸ方向位置決め部１２と、ベゼル４ｃの２つの位置決め部４２ｃとにより、液晶セル部２１をＸ方向およびＺ方向に対して片寄せ状態で位置決めすることが可能である。なお、前部筐体１の開口部１ａの上方側（Ｚ１方向側）に配置されるベゼル４ａには、液晶セル部２１を位置決めする位置決め部は設けられていない。
【００５６】
なお、第２実施形態のその他の構成は、上記第１実施形態と同様である。
【００５７】
第２実施形態では、上記のように、前部筐体１のＸ方向位置決め部１２およびベゼル４ｃのＺ方向位置決め部４２ｃを、それぞれ、液晶セル部２１のＸ２方向の側面２１１およびＺ２方向の側面２１２に当接させ、前部筐体１のＸ方向位置決め部１２およびベゼル４ｃのＺ方向位置決め部４２ｃにより、Ｘ方向およびＺ方向に対して片寄せ状態で液晶セル部２１を位置決めする。このように構成すれば、液晶セル部２１のＸ方向の他方側（Ｘ１方向側）およびＺ方向の他方側（Ｚ１方向側）には位置決め部を設けることなく、前部筐体１のＸ方向位置決め部１２およびベゼル４ｃのＺ方向位置決め部４２ｃを用いて、容易に、液晶セル部２１を互いに直交する２方向に対して片寄せ状態で位置決めすることができる。
【００５８】
また、第２実施形態では、上記のように、前部筐体１に、樹脂フレーム２３およびベゼル４ｃの両方を前部筐体１に対して位置決めするボス１４を設ける。このように構成すれば、ボス１４が樹脂フレーム２３およびベゼル４ｃの両方の位置決めに兼用されるので、樹脂フレーム２３およびベゼル４ｃのそれぞれの位置決め部を互いに別個に設ける必要がない。これにより、樹脂フレーム２３およびベゼル４ｃの位置決め構造を簡素化することができる。
【００５９】
なお、第２実施形態においても、上記第１実施形態の場合と同様に、液晶セル部２１に当接して液晶セル部２１を位置決めするＸ方向位置決め部１２を前部筐体１に設けることによって、前部筐体１に対して液晶セル部２１を精度よく位置決めしながら、前部筐体１を基準に液晶セル部２１を前側から順番に積み上げて組み立てることができる。
【００６０】
なお、第２実施形態のその他の効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１および第２実施形態では、本発明の「表示装置」を、液晶テレビジョン装置に適用する例について示したが、本発明はこれに限られない。たとえば、パーソナルコンピュータのモニタなど、液晶テレビジョン装置以外の表示装置にも本発明を適用可能である。
【００６３】
また、上記第１および第２実施形態では、略矩形形状の液晶セル部の縁部のうちの２つの辺にベゼルを設ける例を示したが、本発明はこれに限られない。本発明では、略矩形形状の液晶セル部の縁部の４つの辺のいずれにもベゼルを設けない構成であってもよい。また、液晶セル部の縁部の４つの辺のうち、１つだけにベゼルを設けてもよいし、３つまたは４つの辺にベゼルを設けてもよい。
【００６４】
また、上記第１実施形態では、前部筐体のＸ方向位置決め部およびＺ方向位置決め部（第１位置決め部）を、液晶セル部（表示セル部）の４つの辺のうちベゼルが設けられていない辺に設ける例を示したが、本発明はこれに限られない。本発明では、図１５に示すように、前部筐体の位置決め部（第１位置決め部）が設けられる辺にベゼル４ｄを設けてもよい。この場合、ベゼル４ｄに切り欠きまたは孔からなる位置決め部の逃げ部４１ｄを設けることが好ましい。
【００６５】
また、上記第１および第２実施形態では、本発明の表示セル部を液晶セル部に適用する例を示したが、本発明はこれに限られない。本発明の表示セル部は、液晶セル部以外の表示セル部にも広く適用可能である。
【００６６】
また、上記第１および第２実施形態では、本発明の表示セル部としての液晶セル部を、互いに直交する２方向（Ｘ方向およびＺ方向）のそれぞれの一方側（Ｘ２方向側およびＺ２方向側）にのみ配置された位置決め部により位置決めする例を示したが、本発明はこれに限られない。本発明では、位置決め部を互いに直交する２方向（Ｘ方向およびＺ方向）のそれぞれの両側（Ｘ１（Ｚ１）方向側とＸ２（Ｚ２）方向側）に設けて、矩形形状の表示セル部を４辺で位置決めしてもよい。
【符号の説明】
【００６７】
１  前部筐体
１ａ  開口部
１ｂ  内面
４ｃ  ベゼル
１２  Ｘ方向位置決め部（第１位置決め部、位置決め部）
１３  Ｚ方向位置決め部（第１位置決め部）
１４  ボス（第３位置決め部）
２１  液晶セル部（表示セル部）
２１ａ  表示領域
２３  樹脂フレーム（セル支持部）
２８ａ  受信部
４２ｃ  Ｚ方向位置決め部（第２位置決め部）
１００  液晶テレビジョン装置（表示装置、テレビジョン装置）
１２１、１３１  当接面
２１１、２１２  側面
【図１】
2013092655.tif 000003
【図２】
2013092655.tif 000004
【図３】
2013092655.tif 000005
【図４】
2013092655.tif 000006
【図５】
2013092655.tif 000007
【図６】
2013092655.tif 000008
【図７】
2013092655.tif 000009
【図８】
2013092655.tif 000010
【図９】
2013092655.tif 000011
【図１０】
2013092655.tif 000012
【図１１】
2013092655.tif 000013
【図１２】
2013092655.tif 000014
【図１３】
2013092655.tif 000015
【図１４】
2013092655.tif 000016
【図１５】
2013092655.tif 000017